(57)【要約】【課題】光ピックアップ装置としても薄型化・小型化の要請が強く、記録も確実に行うことができるような構成が求められる。【解決手段】本発明は、複数の発光点を近接して設けた光源と、媒体からの反射光を受光して電気信号を発生させる受光手段と、光源からの光を媒体に集光させるとともに媒体からの反射光を受光手段に導く光学系を有した光ピックアップ装置であって、光学系の倍率の絶対値が１／７〜１／３である構成としたことで、複数の発光点を近接して設けた構成であっても、十分に光を集光させることができ、記録特性の劣化を防止できるとともに、小型・薄型・軽量化の少なくとも一つを実現できる。【選択図】図１
2005078769.tif 000002
【特許請求の範囲】
【請求項１】
複数の発光点を近接して設けた光源と、媒体からの反射光を受光して電気信号を発生させる受光手段と、前記光源からの光を媒体に集光させるとともに媒体からの反射光を前記受光手段に導く光学系を有し、光学系の倍率の絶対値が１／７〜１／３である光ピックアップ装置であって、複数の発光点からの光における媒体での焦点位置が媒体の厚み方向及び媒体の面内方向において異なっていることを特徴とする光ピックアップ装置。
【請求項２】
光源は一つのブロックで構成されたレーザーダイオードで構成され、複数の発光点を前記レーザーダイオードが有することを特徴とする請求項１記載の光ピックアップ装置。
【請求項３】
光源は、一つのブロックで構成されたレーザーダイオードに一つの発光点を有し、前記レーザーダイオードを複数設けて構成されたことを特徴とする請求項１記載の光ピックアップ装置。
【請求項４】
光源は、基台部と外囲器を組み合わせて構成された光源ユニットの中に配置されていることを特徴とする請求項２，３いずれか１記載の光ピックアップ装置。
【請求項５】
複数の発光点から出射される複数の光の波長は、少なくとも一つは他の光の波長と異なっていることを特徴とする請求項１記載の光ピックアップ装置。
【請求項６】
複数の発光点から出射される光の内、少なくとも一つの光の波長は７００ｎｍ以下であり、他の光の内少なくとも一つの波長は７００ｎｍより大きいことを特徴とする請求項５記載の光ピックアップ装置。
【請求項７】
発光点の間隔は、０．０５ｍｍ〜０．１５ｍｍであることを特徴とする請求項１記載の光ピックアップ装置。
【請求項８】
光学系は、少なくとも光源からの光を略平行光に変換するコリメータレンズと、前記コリメータレンズからの光をフォーカスさせる対物レンズとを含むことを特徴とする請求項１記載の光ピックアップ装置。
【請求項９】
コリメータレンズと対物レンズの間にホログラム素子を設けたことを特徴とする請求項８記載の光ピックアップ装置。
【請求項１０】
光源とコリメータレンズの間に、集積光学部材を設け、前記集積光学部材は前記光源側から回折格子を有する平板状の第１光学部材と、前記第１光学部材の上に設けられ、複数の斜面を内蔵し、前記斜面に波長選択性のある光学素子を設けた第２光学部材で構成され、前記集積光学部材の光源と対向する面とは異なる面に受光手段を対向させたことを特徴とする請求項９記載の光ピックアップ装置。
【請求項１１】
光源から発生する光の内、波長が短い光に対してコマ収差が略最小となるように対物レンズを傾斜させたことを特徴とする請求項１記載の光ピックアップ装置。
【請求項１２】
受光素子からの電気信号によって、各波長の光のコマ収差を最小となるように対物レンズを駆動させる駆動手段を設けたことを特徴とする請求項１記載の光ピックアップ装置。
【請求項１３】
光学系に非点収差を低減させる手段を設けたことを特徴とする請求項１記載の光ピックアップ装置。
【請求項１４】
光学系は、少なくとも光源からの光を略平行光に変換するコリメータレンズと、前記コリメータレンズからの光をフォーカスさせる対物レンズとを含み、前記コリメータレンズか対物レンズの少なくとも一方に非点収差を低減させるような形状を持たせたことを特徴とする請求項１３記載の光ピックアップ装置。
【請求項１５】
波長の長い光の焦点位置を波長の短い光の焦点位置よりも媒体の中心側に配置されたことを特徴とする請求項１記載の光ピックアップ装置。
【請求項１６】
非点収差を低減させる手段として、透明な平行平板を傾斜して設けたことを特徴とする請求項１３記載の光ピックアップ装置。
【請求項１７】
請求項１〜請求項１６いずれか１記載の光ピックアップ装置と、媒体を回転させる回転駆動手段と、前記回転駆動手段に対して前記光ピックアップ装置を近づけたり離したりする移動手段とを備えたことを特徴とする光ディスク装置。
【請求項１８】
各部材を収納する筐体を設け、前記筐体の厚みを１０ｍｍ以下としたことを特徴とする請求項１６記載の光ディスク装置。
【発明の詳細な説明】
【技術分野】
【０００１】
本発明は、パーソナルコンピュータ，ノートブック型コンピュータなどの電子機器に搭載される光ディスク装置に好適に用いられる光ピックアップ装置及び光ディスク装置に関するものである。
【背景技術】
【０００２】
光学記録媒体として、ＤＶＤ（デジタルビデオディスク）、ＣＤ−Ｒ（書き込み可能なコンパクトディスク）、ＣＤ−ＲＷ（書き換え可能なコンパクトディスク）等の種々の光ディスクが開発されている。ＤＶＤにおいては、波長約６５０ｎｍのレーザ光により情報の記録または再生が行われる。一方、ＣＤ−ＲやＣＤ−ＲＷにおいては、波長約７８０ｎｍのレーザ光により情報の記録または再生が行われる。このような複数種類の光ディスクに対して情報の記録または再生を行う光ディスク装置が提案されている。
【０００３】
また、このような複数種類の光ディスクに対して情報の記録または再生を行う光ディスク装置において、複数の異なる波長のレーザ素子を１つのパッケージに隣接して配置したもの（いわゆるハイブリッド型２波長半導体レーザ）や、１つの半導体基板に複数の波長の光源を集積化した半導体レーザ素子（いわゆるモノリシック型２波長半導体レーザ）などが提案されている。
【０００４】
これらの２波長半導体レーザでは、ハイブリッド型、モノリシック型のいずれの場合においても、２つの波長の発光点の距離は約１１０μｍあり、２つの光源の光軸にずれが生じる。
【０００５】
このため例えば特開２０００−９９９８３号（特許文献１）では波長選択性の膜を形成した平行平板を用いることにより２つの波長のレーザ光の光路を一致させている。図４にその概略図を示す。ただし簡略化のため光ディスク媒体からの戻り光を検出する復路光学系は省略している。半導体レーザ光源１は、波長λ１（６５０ｎｍ）の発光点２および波長λ２（７８０ｎｍ）の発光点３を備え、平行平板２４は、波長６５０ｎｍの光を反射しかつ波長７８０ｎｍの光を透過する第１波長選択膜２４ａ、光を透過する基板２４ｂおよび波長７８０ｎｍの光を反射する第２波長選択膜２４ｃを順に含む。基板２４ｂの厚みおよびレーザ光の入射角を調整することにより、波長６５０ｎｍのレーザ光の光路と波長７８０ｎｍのレーザ光の光路とを一致させている。
【０００６】
先行例としては、（特許文献１）（特許文献２）がある。
【特許文献１】特開２０００−９９９８３号公報
【特許文献２】特開２００１−１０１７０３号公報
【特許文献３】特開２００３−２０３３７６号公報
【発明の開示】
【発明が解決しようとする課題】
【０００７】
しかしながら上記（特許文献１）の構成では、波長６５０ｎｍや７８０ｎｍで屈折率が１．５程度の一般的な光学ガラスを使用し、入射角度を４０度程度に設定した場合でも、基板２４ｂの厚みは０．２ｍｍ程度の薄い基板を使用せねばならず、結局厚い基板２４ｃなどと貼り合せた構造にする必要があり部品点数や調整箇所が増え、コスト増加の要因となってしまう。また、この平行平板を挿入する位置によって非点収差や干渉が発生し、集光スポットの品質が低下したり、レーザ光の発光状態を不安定化させるといった問題が発生する。
【０００８】
また、光ディスク装置としては、薄型化・小型化の要請が顕著になっており、しかも光ディスクに記録することが必須の要件となってきている。従って、光ピックアップ装置としても薄型化・小型化の要請が強く、記録も確実に行うことができるような構成が求められる。
【課題を解決するための手段】
【０００９】
本発明は、複数の発光点を近接して設けた光源と、媒体からの反射光を受光して電気信号を発生させる受光手段と、光源からの光を媒体に集光させるとともに媒体からの反射光を受光手段に導く光学系を有し、光学系の倍率の絶対値が１／７〜１／３である光ピックアップ装置であって、複数の発光点からの光における媒体での焦点位置が媒体の厚み方向及び媒体の面内方向において異なっている構成とした。
【発明の効果】
【００１０】
本発明は、複数の発光点を近接して設けた構成であっても、十分に光を集光させることができ、記録特性の劣化を防止できるとともに、小型・薄型・軽量化の少なくとも一つを実現できる。
【発明を実施するための最良の形態】
【００１１】
請求項１記載の発明は、複数の発光点を近接して設けた光源と、媒体からの反射光を受光して電気信号を発生させる受光手段と、前記光源からの光を媒体に集光させるとともに媒体からの反射光を前記受光手段に導く光学系を有し、光学系の倍率の絶対値が１／７〜１／３である光ピックアップ装置であって、複数の発光点からの光における媒体での焦点位置が媒体の厚み方向及び媒体の面内方向において異なっていることを特徴とする光ピックアップ装置であり、複数の発光点を近接して設けた構成であっても、十分に光を集光させることができ、記録特性の劣化を防止できるとともに、小型・薄型・軽量化の少なくとも一つを実現できる。また、波長によって、焦点を結ぶ位置を異ならせることによって、特にＣＤ等において、外周部における記録もしくは再生の際に効果的に光をディスク面に照射でき、特性劣化を防止できる。
【００１２】
請求項２記載の発明は、光源は一つのブロックで構成されたレーザーダイオードで構成され、複数の発光点を前記レーザーダイオードが有することを特徴とする請求項１記載の光ピックアップ装置であり、光源の小型化を実現できる。
【００１３】
請求項３記載の発明は、光源は、一つのブロックで構成されたレーザーダイオードに一つの発光点を有し、前記レーザーダイオードを複数設けて構成されたことを特徴とする請求項１記載の光ピックアップ装置では、波長の異なる光源を自由に設定できるので、設計の自由度を増すことができる。
【００１４】
請求項４記載の発明は、光源は、基台部と外囲器を組み合わせて構成された光源ユニットの中に配置されていることを特徴とする請求項２，３いずれか１記載の光ピックアップ装置であり、光源を一つの部材として扱うことができるので、組み立ての際に作業性などを向上させることができる。
【００１５】
請求項５記載の発明は、複数の発光点から出射される複数の光の波長は、少なくとも一つは他の光の波長と異なっていることを特徴とする請求項１記載の光ピックアップ装置であり、異なる材質で構成された光媒体や、或いは記録密度の異なる光媒体などにそれぞれ対応でき、利便性が向上する。
【００１６】
請求項６記載の発明は、複数の発光点から出射される光の内、少なくとも一つの光の波
長は７００ｎｍ以下であり、他の光の内少なくとも一つの波長は７００ｎｍより大きいことを特徴とする請求項５記載の光ピックアップ装置であり、ＤＶＤやＣＤの双方に対して記録又は再生を行うことができる。
【００１７】
請求項７記載の発明は、発光点の間隔は、０．０５ｍｍ〜０．１５ｍｍであることを特徴とする請求項１記載の光ピックアップ装置であり、光源の小型化が実現でき、更には光源の作製が比較的容易であり、また、光ピックアップ装置全体として、小型化を実現できる。
【００１８】
請求項８記載の発明は、光学系は、少なくとも光源からの光を略平行光に変換するコリメータレンズと、前記コリメータレンズからの光をフォーカスさせる対物レンズとを含むことを特徴とする請求項１記載の光ピックアップ装置であり、光源からの光を確実に媒体に集光させることができる。
【００１９】
請求項９記載の発明は、コリメータレンズと対物レンズの間にホログラム素子を設けたことを特徴とする請求項８記載の光ピックアップ装置であり、短波長の光を効率よくしかも確実に分離でき、受光手段中の所定の場所に光を導くことが容易になる。
【００２０】
請求項１０記載の発明は、光源とコリメータレンズの間に、集積光学部材を設け、前記集積光学部材は前記光源側から回折格子を有する平板状の第１光学部材と、前記第１光学部材の上に設けられ、複数の斜面を内蔵し、前記斜面に波長選択性のある光学素子を設けた第２光学部材で構成され、前記集積光学部材の光源と対向する面とは異なる面に受光手段を対向させたことを特徴とする請求項９記載の光ピックアップ装置であり、光源からの光を確実に媒体に導く様に構成でき、しかも媒体からの反射光を受光手段に確実に導くことができる。
【００２１】
請求項１１光源から発生する光の内、波長が短い光に対してコマ収差が略最小となるように対物レンズを傾斜させたことを特徴とする請求項１記載の光ピックアップ装置であり、これによって、短波長の光は比較的高密度記録の媒体に対応するように構成されているので、高記録密度記録媒体は確実にデータの記録か再生を行うことができる。更には、上記構成によって、比較的長波長の光のコマ収差も低減でき、記録再生特性を向上させることができる。
【００２２】
請求項１２記載の発明は、受光素子からの電気信号によって、各波長の光のコマ収差を最小となるように対物レンズを駆動させる駆動手段を設けたことを特徴とする請求項１記載の光ピックアップ装置であり、常に受光手段からの信号により、各波長に対応した最小のコマ収差となるようにタイムリーに対物レンズの傾きを調整できる。
【００２３】
請求項１３記載の発明は、光学系に非点収差を低減させる手段を設けたことを特徴とする請求項１記載の光ピックアップ装置であり、発光点の間隔を比較的狭くすることで生じる収差を確実に低減させることができる。
【００２４】
請求項１４記載の発明は、光学系は、少なくとも光源からの光を略平行光に変換するコリメータレンズと、前記コリメータレンズからの光をフォーカスさせる対物レンズとを含み、前記コリメータレンズか対物レンズの少なくとも一方に非点収差を低減させるような形状を持たせたことを特徴とする請求項１３記載の光ピックアップ装置であり、別部材を設けなくても収差を低減させることができる。
【００２５】
請求項１５記載の発明は、波長の長い光の焦点位置を波長の短い光の焦点位置よりも媒体の中心側に配置されたことを特徴とする請求項１記載の光ピックアップ装置であり、波
長の長い光を記録再生に用いる例えばＣＤ、ＣＤ−Ｒ、ＣＤ−ＲＷ等の記録媒体の反りに対する効果的な記録再生を行うことができる。
【００２６】
請求項１６記載の発明は、非点収差を低減させる手段として、透明な平行平板を傾斜して設けたことを特徴とする請求項１３記載の光ピックアップ装置であり、工学系の各部材に特別な加工を施さずに汎用品を用いても、収差を確実に低減させることができる。
【００２７】
請求項１７記載の発明は、請求項１〜請求項１５いずれか１記載の光ピックアップ装置と、媒体を回転させる回転駆動手段と、前記回転駆動手段に対して前記光ピックアップ装置を近づけたり離したりする移動手段とを備えたことを特徴とする光ディスク装置であり、薄型化小型化を実現でき、記録特性も向上させることができる。
【００２８】
請求項１８記載の発明は、各部材を収納する筐体を設け、前記筐体の厚みを１０ｍｍ以下としたことを特徴とする請求項１６記載の光ディスク装置であり、記録特性の劣化を防止できる。
【００２９】
以下、本発明における光ピックアップ装置の実施の形態について説明する。
【００３０】
（実施の形態１）
図１〜図３は本発明の一実施の形態における光ピックアップ装置を示す図である。図１において、１は光源ユニットで、光源ユニット１中には第１の波長を出射する発光点と第１の波長よりも長い第２の波長を出射する発光点が設けられる。本実施の形態では発光点２，３を有するレーザーダイオード１ｆが光源ユニット１中に設けられている。光源ユニット１は、基台部１ａと、基台部１ａに絶縁されて立設された端子部１ｂと、基台部１ａ上に設けられた外囲器１ｃを有しており、基台部１ａと外囲器１ｃで構成された空間内にレーザーダイオード１ｆが収納されている。このレーザーダイオード１ｆは端子部１ｂとワイヤボンドなどで電気的に接続され、この端子部１ｂにはプリント基板（図示せず）等が接続され、プリント基板等を介して外部から電流を流すことによって、レーザーダイオード１ｆを発光させる。また、外囲器１ｃにはレーザーダイオード１ｆから出射された光を外部に放出する貫通孔１ｄが設けられている。なお、外囲器１ｃと基台部１ａを組み合わせて構成された内部空間は外部と隔絶するように構成したり（この場合には貫通孔１ｄを塞ぐようにカバーガラスなどを設ける）、あるいは内部空間を外部と隔絶しないようにすることができる（この場合には、レーザーダイオード１ｆの表面に保護膜などを設けることが好ましい）。
【００３１】
更に詳細に光源ユニット１について、図５を用いて説明する。図５において、レーザーダイオード１ｆは保持ブロック１ｅに接着などで取付られており、しかも図示していないが、端子部１ｂと電気的に接続されている。なお、本実施の形態ではレーザーダイオード１ｆの一つのブロック構成体に発光点２，３があるものを用いた。また、図６に示すように、レーザーダイオード１ｆに一つの発光点２が設けられ、レーザーダイオード１ｇに一つの発光点３を設け、レーザーダイオード１ｆ，１ｇをそれぞれ保持ブロック１ｅに取り付ける構成としても良い。本実施の形態では、組み立て精度の面から一つのレーザーダイオード１ｆに発光点２，３を設ける構成とした。なお、本実施の形態では、レーザーダイオード１ｆに２つの発光点２，３を設けたが、３以上の発光点を設けても良いし、図６に示すように１つのレーザーダイオードに一つの発光点を設け、そのレーザーダイオードを３以上保持ブロック１ｅに設けても良い。
【００３２】
更に発光点２と発光点３からそれぞれ出射される光の波長を異ならせている。例えば発光点２から出射される波長を７００ｎｍ以下とし、発光点３から出射される波長を７００ｎｍよりも大きくした。本実施の形態では、発光点２をＤＶＤの読み取り用の例えば波長
６５０ｎｍ（λ１）とし、発光点３をＣＤの読み取りおよび書き込み用の例えば波長７８０ｎｍ（λ２）とした。この様な構成によって、ＤＶＤ及びＣＤ双方の媒体に対して情報の再生もしくは情報の記録の少なくとも一方を実現できる。
【００３３】
また、発光点２，３の間隔ｔ（図５参照）は０．０５ｍｍから０．１５ｍｍ程度の範囲とすることが好ましく、本実施の形態では、間隔ｔは０．１１ｍｍ程度とした。
【００３４】
３１は集積光学部材で、集積光学部材３１は３ビーム回折格子（図示せず）が形成された平板上の導光部材３１ｄと、導光部材３１ｄ上に設けられ、内部に複数の傾斜面３１ａ，３１ｂ，３１ｃが設けられた導光部材３１ｅで構成されている。
【００３５】
２１はコリメータレンズ、３０は発光点２から出射された波長λ１の光用のホログラム素子で、ホログラム素子３０は偏光ホログラム３０ａとλ／４波長板３０ｂで構成されている。偏光ホログラム３０ａは波長λ１の光にのみ作用するよう波長選択性のある材料で作製されている。また、λ／４波長板３０ｂは波長λ１、λ２両方に作用するよう屈折率と厚みが設定されている。２２は２焦点対物レンズで、対物レンズ２２は発光点２，３から出射される波長λ１，λ２に対して焦点を結ぶように構成されている。対物レンズ２２としては、集光レンズ及びフレネルレンズ又はホログラムレンズの組み合わせ、ＤＶＤ用集光レンズにＣＤ再生時に開口制限手段を設ける組み合わせ、等を用い、光ディスクの厚み及び開口数の違いを吸収するものも使用することができる。光ディスクはＣＤ用の記録面１３及びＤＶＤ用の記録面１１を有している。
【００３６】
３２は光ディスクからの反射光を受光し、ＲＦ信号，トラッキングエラー信号，フォーカスエラー信号などを生成する電気信号を出力する受光素子である。
【００３７】
次に、光路について説明する。
【００３８】
発光点２から出射された光は集積光学部材３１を通過してコリメータレンズ２１に入射され、このコリメータレンズ２１で略平行光に変換され、ホログラム素子３０，対物レンズ２２を通過して、記録面１１に焦点１２を結ぶように構成される。このとき、ホログラム素子３０を透過する際、偏光ホログラム３０ａの影響を受けずにそのまま透過するよう光の偏光方向を設定してあり、λ／４波長板３０ｂで直線偏光から円偏光に変換される。記録面１１で反射した光は、対物レンズ２２，ホログラム素子３０，コリメータレンズ２１を通過して集積光学部材３１に入射し、傾斜面３１ｃに設けられた波長選択性のあるビームスプリッタで反射して受光素子３２に入射される。このとき、ホログラム素子３０を再度透過する際、λ／４波長板３０ｂで円偏光から、往きの直線偏光とは垂直な直線偏光に変換される。その後、偏光ホログラム３０ａによりＲＦ信号，トラッキングエラー信号，フォーカスエラー信号などに対応する信号光成分に分離される。また、集積光学部材３１において、傾斜面３１ｃに設けられたビームスプリッタは、発光点２，３から出射された光は透過し、発光点２から出射され光ディスクで反射されてきた光は反射するような膜構成を採用している。また、光ディスクからの反射光をホログラム素子３０にて分離して、その分離した光は受光素子３２に入射され、各種電気信号に変換される。
【００３９】
発光点３から出射された光は集積光学部材３１を通過してコリメータレンズ２１に入射され、このコリメータレンズ２１で略平行光に変換され、ホログラム素子３０，対物レンズ２２を通過して、記録面１３に焦点１４を結ぶように構成される。このとき、ホログラム素子３０を透過する際、この波長λ２では、偏光ホログラム３０ａの影響を受けないためそのまま透過し、λ／４波長板３０ｂで直線偏光から円偏光に変換される。記録面１３で反射した光は、対物レンズ２２，ホログラム素子３０へ入射する。このとき、反射光がホログラム素子３０を再度透過する際、λ／４波長板３０ｂで円偏光から、往きの直線偏
光とは垂直な直線偏光に変換される。そして今度は偏光ホログラム３０ａを透過するが、この波長λ２では、偏光ホログラム３０ａの影響を受けないためそのまま透過し、コリメータレンズ２１へ向かう。コリメータレンズ２１を通過して集積光学部材３１に入射し、傾斜面３１ｂに設けられた波長選択性のあるビームスプリッタで一旦反射して、傾斜面３１ａに入射され、傾斜面３１ａに設けられた図示していないホログラム素子を介して反射し、再び傾斜面３１ｂの別の部位に入射され、傾斜面３１ｂで反射されて受光素子３２に入射される。この時傾斜面３１ｂに設けられたビームスプリッタは、発光点２，３から出射された光は透過し、発光点３から出射され光ディスクで反射されてきた光は反射するような膜構成を採用している。また、光ディスクからの反射光を傾斜面３１ａに設けられたホログラム素子にて分離して、その分離した光は受光素子３２に入射され、各種電気信号に変換される。
【００４０】
この時、焦点１４は光軸２０に対して光ディスクの回転軸１０側に存在し、焦点１２は光軸２０に対して焦点１４とは反対側に存在するように構成されている。これは、発光点２が光軸２０に対して回転軸１０側に配置され、発光点３が光軸２０に対して反対側に配置することで、実現可能である。これは、図１〜図３に示した構成に適応でき、途中で立ち上げミラーなどの反射部材を介する場合には、光軸２０に対して、同じ側に発光点と焦点が存在することもある。
【００４１】
また、発光点２から出射された光が光ディスク上の記録面１１の上に焦点１２が結ばれている際にコマ収差が略最小となるように、対物レンズ２２の傾きを調整する。この様に調整することで、結果的に発光点３から出射された光においても、コマ収差が軽減されることになる。
【００４２】
このように、本実施の形態による光ピックアップ装置においては、２つの異なる波長で発振し、各発振波長において間隔でずれている発光点２，３からの光ビームを１つのコリメータレンズ２１と１つの対物レンズ２２を介して、異なる仕様の光ディスクへ照射しその記録面に光スポットを形成させる場合でも、ＤＶＤおよびＣＤの各光ディスクに対し、コマ収差を最小とすることが出来、より簡略化した光学系で記録再生動作を行うことが可能となる。
【００４３】
又、上述の様に、発光点２，３がずれていることによって、焦点１２，１４における非点収差が比較的大きくなる。従って、例えば、コリメータレンズ２１，対物レンズ２２等の光が通過する部材の少なくとも一つにその非点収差を軽減するような形状を与えることもできる。更には、図２に示すように、集積光学部材３１とコリメータレンズ２１の間に透明な平行平板２５を傾斜させて配置することで、非点収差を軽減させても良い。
【００４４】
更に、上述の構成では、発光点２から出射される光において、コマ収差が略最小となるように対物レンズ２２の傾きを調整したが、これでは、発光点３から出射される光ではコマ収差を軽減できるものの略最小とすることは、構成などによっては許容出来ない場合もある。
【００４５】
従って、図３に示すように対物レンズ２２を、光ディスクの半径方向に傾きを与えられるようなアクチュエータ機構２３を与えて、各発光点２，３のずれによる焦点１４，１２のコマ収差を共に軽減させることができる。例えば、コマ収差の程度を受光素子３２で変換された電気信号で代替的に測定し、その測定した結果を図示していない駆動手段に伝達し、駆動手段は、その結果に基づいてアクチュエータ機構２３を駆動させて対物レンズ２２の傾きを調整し、発光点２，３におけるコマ収差を共に低減させることができる。
【００４６】
ところで、光ディスク装置において、高速にデータを書き込み、または読み出す場合、
レーザ光源の出力をより多く取り込むためにレーザ光源１をコリメータレンズ２１に近づける方法があるが、特に高密度記録媒体を用いる短波長側のλ１の光学系においては、光ディスク記録面１１上の集光スポット１２が大きくなってしまい、良好な記録再生が行えなくなってしまう。また逆に、レーザ光源１をコリメータレンズ２１から遠ざけた場合、レーザ光源１の出力を大きくする必要があるが、実現可能な出力には限度がある。ただしこの時、発光点２と発光点３の間隔ｔによる光学系の収差を軽減でき、その影響を無視できるようになる。
【００４７】
従って本発明では、複数の異なる波長の光により記録再生を行う複数種類の光学記録媒体に、少なくとも１つの波長の光により記録動作を行うことが出来る光ピックアップ装置、または光ディスク装置において、光学系の倍率の絶対値が１／７以上、１／３以下のものに適用するものとする。ここで光学系の倍率の絶対値ｍはコリメータレンズ２１の焦点距離ｆCLと対物レンズ２２の焦点距離ｆOLとにより次のような式、
ｍ＝ｆOL／ｆCL
で定義するものとする。
【００４８】
図７は本発明の一実施の形態における光ディスク装置を示す斜視図で、図７において、１２１は筐体で、筐体１２１は上部筐体部と下部筐体部１２１ａを組み合わせて構成されている（図７には説明の便宜上上部筐体部は省略している）。なお、上部筐体部と下部筐体部１２１ａとは螺旋などを用いて、互いに固着されている。１２２は筐体に出没自在に設けられたトレイ、１２３はトレイ１２２に設けられたスピンドルモータ、１２４は光ピックで、光ピック１２４には図１〜図３に示す光ピックアップ装置が用いられ、光ディスクに情報を書き込むか或いは情報を読み出す動作の、少なくとも一方を行う。１２５はトレイ１２２の前端面に設けられたベゼルで、ベゼル１２５はトレイ１２２が筐体１２１内に収納された時に、トレイ１２２の出没口を塞ぐように構成されている。１２６，１２７はそれぞれトレイ１２２及び筐体１２１の双方に摺動自在に取り付けられたレールで、トレイ１２２の両側部にこのレール１２６，１２７は設けられており、このレール１２６，１２７にて図７で示す矢印Ｐ方向に筐体１２１からトレイ１２２が出没自在に取り付けられている。１２８は筐体１２１の奥部に固定して設けられた回路基板で、回路基板１２８は信号処理系のＩＣや電源回路などが搭載されている。１２９はトレイ１２２に設けられた図示していない回路基板と回路基板１２８とを電気的に接続するフレキシブルなプリント基板で、プリント基板１２９は略Ｕ字型に形成され、１３０は外部コネクタで、外部コネクタ１３０はコンピュータ等の電子機器に設けられた電源／信号ラインと接続される。そして、この外部コネクタ１３０を介して光ディスク装置内に電力を供給したり、或いは外部からの電気信号を光ディスク装置内に導いたり、あるいは光ディスク装置で生成された電気信号を電子機器などに送出する。
【００４９】
トレイ１２２の前端面に設けられたベゼル１２５にはイジェクトボタン１３１が設けられており、このイジェクトスイッチ１３１を押すことで、筐体２１に設けられた係合部（図示せず）とトレイ１２２に設けられた係合部（図示せず）との係合を解除する。
【００５０】
１３２はトレイ１２２に可動自在に保持されたプッシュ板金で、プッシュ板金１３２は図７で示す矢印Ｒ方向に図示していないスプリングなどの弾性手段によって付勢されている。
【００５１】
以上の様に、図１〜図３に示す光ピックアップ装置を光ディスク装置に搭載することで、光ディスク装置が薄型化・小型化されても、記録特性劣化を防止でき、しかも軽量化などを行うことができる。特に、光ディスク装置の厚み（筐体１２１の厚み）が１０ｍｍ以下の光ディスク装置に図１から図３に記載の光ピックアップ装置を搭載することが特に有効である。
【産業上の利用可能性】
【００５２】
本発明の光ピックアップ装置及び光ディスク装置は、複数の発光点を近接して設けた構成であっても、十分に光を集光させることができ、記録特性の劣化を防止できるとともに、小型・薄型・軽量化の少なくとも一つを実現でき、パーソナルコンピュータ，ノートブック型コンピュータなどの電子機器に適応できる。
【図面の簡単な説明】
【００５３】
【図１】本発明の一実施の形態における光ピックアップ装置を示す図
【図２】本発明の一実施の形態における光ピックアップ装置を示す図
【図３】本発明の一実施の形態における光ピックアップ装置を示す図
【図４】従来の光ピックアップ装置を示す図
【図５】本発明の一実施の形態における光ピックアップ装置の光源ユニットを示す図
【図６】本発明の一実施の形態における光ピックアップ装置の光源ユニットを示す図
【図７】本発明の一実施の形態における光ディスク装置を示す図
【符号の説明】
【００５４】
１    光源ユニット
１ａ    基台部
１ｃ    外囲器
２，３    発光点
２１    コリメータレンズ
２２    対物レンズ
２３    アクチュエータ機構
２５    平行平板
３０    ホログラム素子
３１    集積光学部材
３１ｄ，３１ｅ    導光部材
３２    受光素子
１２１    筐体
１２３    スピンドルモータ
１２４    光ピック
【図１】
2005078769.tif 000003
【図２】
2005078769.tif 000004
【図３】
2005078769.tif 000005
【図４】
2005078769.tif 000006
【図５】
2005078769.tif 000007
【図６】
2005078769.tif 000008
【図７】
2005078769.tif 000009